(57)【特許請求の範囲】
【請求項１】
患者が着座する座椅子に、背板が傾動自在に設けられる診療台を含む歯科用診療装置において、
前記診療装置には、電気的に接続されるべき歯科用診断機器が着脱自在に接続される２つの接続手段が設けられ、
前記歯科用診断機器は、
患者の診断情報を検出する検出手段と、
この検出手段からの出力に応答して前記診断情報またはそれに対応した診断関連情報を表示する表示手段とを含み、
一方の接続手段には、検出手段が着脱自在に接続され、他方の接続手段には、表示手段が着脱自在に接続されることを特徴とする歯科用診療装置。
【請求項２】
前記一方の接続手段と前記他方の接続手段とは、導電性材料から成る芯体の外周面が電気絶縁性材料から成る絶縁層によって被覆された１または複数のリード線によって接続され、このリード線は前記診療装置内に収納されることを特徴とする請求項１記載の歯科用診療装置。
【請求項３】
前記診療装置は、前記診療台の背板の近傍に、移動自在に設けられるトレーテーブルを含み、前記接続手段は、前記背板の患者の肩部に対応する位置付近、前記背板の側面、トレーテーブルおよびトレーテーブル保持アームのうち少なくともいずれか１つに設けられることを特徴とする請求項１または２に記載の歯科用診療装置。
【請求項４】
前記診療装置は、前記診療台の一側部に設けられ、患者がうがいするための水を供給し、かつ排出するベースンポールを含み、
このベースンポールには、前記接続手段が設けられることを特徴とする請求項１〜３のいずれか１つに記載の歯科用診療装置。
【請求項５】
前記診療装置には、接続手段が設けられる位置に近接して、前記歯科用診断機器を着脱自在に係止する係止手段が設けられることを特徴とする請求項１〜４のいずれか１つに記載の歯科用診療装置。
【発明の詳細な説明】
【０００１】
【発明の属する技術分野】
本発明は、たとえば根管長測定装置、歯周ポケットの深さ測定装置、歯髄診断装置および根管長測定機能付き超音波スケーラなどの歯科用診断機器の表示手段と検出手段とを電気的に接続するために好適に実施することができる歯科用診療装置に関する。
【０００２】
【従来の技術】
たとえば歯内療法における根管治療は、根管の拡大、清掃、消毒および根管充填を完全に行うためには、根管長を正確に測定する必要がある。また治療中に根尖孔を越えてリーマーやファイルなどで根尖歯周組織を刺激することは好ましくなく、またこのような根尖歯周組織への刺激をおそれて器具の挿入が不充分となり、根尖部根管に清掃消毒されない空隙を残して療後を不良にする原因を残すことは好ましくない。したがって根管治療を行うに際して、予め正確な作業長を決定するために、根管長を測定する必要があり、この根管長を測定するための装置として、根管内に挿入したリーマーと、口腔粘膜に接触させた口腔電極との間の電気的抵抗値がリーマーの先端が歯根表面に到達したとき、ほぼ一定の値（６．５ｋΩ）を示すことに基づいて、根管長を検出して求める電気的根管長測定装置が用いられている。
【０００３】
このような根管長測定装置は、口腔電極と前記リーマーなどに接続されるクリップによって把持される測定電極とがリード線によって機器本体に接続され、この本体には口腔電極および測定電極間の抵抗値を表示する表示手段であるメータが設けられている。このような根管長測定装置を用いて根管長を測定する際には、前記フック状の口腔電極を患者の下顎に掛け止めた状態で測定電極であるリーマーの先端を根管内に挿入してゆき、前記メータの指示値が６．５ｋΩ付近になったとき、リーマーの先端が根尖歯周組織に達したものと判断して、そのときの深さを根管長としている。
【０００４】
【発明が解決しようとする課題】
このような先行技術では、前記口腔電極と測定電極とは本体にリード線によって電気的に接続されているので、測定部位によって前記リード線が患者の胸や首の上に垂下がり、患者に不快感や緊張感を与え、また衛生上、好ましくないという問題を有する。
【０００５】
したがって本発明の目的は、診療時における患者へのリード線の接触をなくすことができるようにした歯科用診療装置を提供することである。
【０００６】
【課題を解決するための手段】
本発明は、患者が着座する座椅子に、背板が傾動自在に設けられる診療台を含む歯科用診療装置において、
前記診療装置には、電気的に接続されるべき歯科用診断機器が着脱自在に接続される２つの接続手段が設けられ、
前記歯科用診断機器は、
患者の診断情報を検出する検出手段と、
この検出手段からの出力に応答して前記診断情報またはそれに対応した診断関連情報を表示する表示手段とを含み、
一方の接続手段には、検出手段が着脱自在に接続され、他方の接続手段には、表示手段が着脱自在に接続されることを特徴とする歯科用診療装置である。
本発明に従えば、診療台は、患者が着座する座椅子に背板が傾動自在に設けられ、この診療台を含む診療装置には接続手段が設けられ、この接続手段には歯科用診断機器が電気的に接続される。
このようにして歯科用診断機器は診療装置に設けられる接続手段を介して電気的に接続することができるので、歯科用診断機器を電気的に接続するリード線などの配線が患者の首や胸などの上に垂下がって接触することはなく、これによって患者への不快感や違和感および不安感や恐怖感ならびに緊張感をなくし、診療行為を支援することができる。また歯科用診断機器を接続する配線が患者に接触することはないので、その配線が汚損されるおそれはなく、衛生上の清浄度が向上される。
また、歯科用診断機器は検出手段と表示手段とを備え、一方の接続手段に検出手段が接続され、他方の接続手段に表示手段が接続される。これによって、検出手段と表示手段とを診療装置内に収納されるリード線によって電気的に接続し、リード線などの配線が診療装置から外部に露出して患者の上に垂れ下がることが防がれた状態で、検出手段によって検出される診断情報または診断関連情報を表示手段によって表示することができる。
【０００７】
また本発明は、前記一方の接続手段と前記他方の接続手段とは、導電性材料から成る芯体の外周面が電気絶縁性材料から成る絶縁層によって被覆された１または複数のリード線によって接続され、このリード線は前記診療装置内に収納されることを特徴とする。
本発明に従えば、一方の接続手段と他方の接続手段とは、リード線によって電気的に接続され、このリード線は診療装置内に収納される。これによって診療装置の外部にリード線が露出することはないので、このリード線に術者、その介助者および患者などが引っ掛かるおそれはなく、安全性が向上されるとともに、リード線の汚損が防がれる。また、診療台からリード線が露出している場合に比べて患者への不快感や違和感および不安感や恐怖感ならびに緊張感を低減することができる。
【０００８】
さらに本発明は、前記診療装置は、前記診療台の背板の近傍に、移動自在に設けられるトレーテーブルを含み、前記接続手段は、前記背板の患者の肩部に対応する位置付近、前記背板の側面、トレーテーブルおよびトレーテーブル保持アームのうち少なくともいずれか１つに設けられることを特徴とする。
本発明に従えば、前記診療台の背板の近傍にトレーテーブルが移動自在に設けられる。このような診療台の背板には、この診療台に患者が横たわった状態において、その患者の肩部に対応する位置付近、背板の側面、トレーテーブルおよびトレーテーブル保持アームのうち少なくともいずれか１つには前記接続手段が設けられる。このような位置に接続手段を設けることによって、歯科用診断機器を患者の肩部、背板の側面、トレーテーブルおよびトレーテーブル保持アームのうち少なくともいずれか１つ付近に配置して患者の上に配線が垂下がることなしに、いわばすっきりとした状態で診療を行うことができる。
【０００９】
さらにまた本発明は、前記診療装置は、前記診療台の一側部に設けられ、患者がうがいするための水を供給し、かつ排出するベースンポールを含み、
このベースンポールには、前記接続手段が設けられることを特徴とする。
本発明に従えば、診療台の一側部には、ベースンポールが設けられ、このベースンポールに前記接続手段が設けられる。このようなベースンポールに設けられる接続手段にたとえば歯科用診断機器を接続して、たとえば介助者から見やすい位置に配置することが可能となり、利便性が向上される。
【００１０】
さらにまた本発明は、前記診療装置には、接続手段が設けられる位置に近接して、前記歯科用診療機器を着脱自在に係止する係止手段が設けられることを特徴とする。
本発明に従えば、接続手段が設けられる位置に近接して係止手段を設けるようにしたので、必要に応じて前記歯科用診断機器を係止手段によって係止することができ、歯科用診断機器の配置上の自由度が向上されて利便性が向上されるとともに、歯科用診断機器の落下を防ぐことができるので、その歯科用診断機器の損傷を防ぎ、また落下による汚損を防ぐことができる。
【００１２】
【発明の実施の形態】
図１は、本発明の実施の一形態の歯科用診療装置１の全体を示す平面図である。本発明の実施のこの形態の歯科用診療装置１は、基本的に、患者が着座する座椅子２に、背板３が図１の紙面に垂直手前側に傾動自在に設けられる診療台４と、背板３の一側部に基端部５が鉛直な回転軸線６まわりに矢符Ａ１，Ａ２方向に連結されるトレーテーブル保持アーム（以下、アームと略記する）７と、アーム７の遊端部８に鉛直軸線９まわりに矢符Ｂ１，Ｂ２方向に回動自在に連結されて、背板３近傍に移動自在に設けられるトレーテーブル１０と、座椅子２の前記アーム７およびトレーテーブル１０が設けられる側とは反対側の側部に設けられるベースンポール（ｂａｓｉｎ  ｐｏｌｅ）１１とを含む。
【００１３】
前記アーム７およびトレーテーブル１０は、診療台４に内蔵される図示しないリンク機構によって、背板３の傾動位置にかかわらず、常に水平に位置されるように構成されている。このようなトレーテーブル１０上には、たとえば薬液瓶のホルダや、綿花ホルダおよび患者毎に交換されるスケーラーやピンセットが配置された金属製のトレイが載置される。
【００１４】
背板３には矢符Ｃ１，Ｃ２方向に伸縮自在なヘッドレスト１２が設けられ、その両側方の患者１３の両肩部付近には複数のインスツルメント１４が着脱自在に装着される。このインスツルメント１４は、たとえばスリーウェイシリンジ、バキュームシリンジおよびコントラアングルハンドピースなどである。
【００１５】
このようなインスツルメント１４が設けられる患者１３の肩部付近には、一方の接続手段である第１ピンジャック１５および第２ピンジャック１６が設けられる。また背板３の側面である前記アーム７の基端部５付近には、他方の接続手段である第１コネクタ１７が設けられ、さらに前記ベースンポール１１の一側部には他方の接続手段である第２コネクタ１８が設けられる。
【００１６】
第１ピンジャック１５と第１コネクタ１７とは、第１リード線１９によって電気的に接続され、第２ピンジャック１６と第１コネクタ１７とは第２リード線２０によって電気的に接続される。さらに第１コネクタ１７と第２コネクタ１８とは、第３リード線２１によって電気的に接続される。第１および第２リード線１９，２０は、前記第１コネクタ１７を介して第３リード線２１に導通している。
【００１７】
第１〜第３リード線１９，２０，２１は、銅などの導電性材料から成る芯体の外周面が可撓性を有する合成樹脂などの電気絶縁性材料から成る絶縁層によって被覆されている。
【００１８】
図２は、第１ピンジャック１５および第１コネクタ１７付近を拡大して示す一部の斜視図である。診療台４上に患者１３が上方を向いて横たわった状態において、その患者１３の右肩部付近を支持する背板３の部分２３には、前述のインスツルメント１４に隣接して操作パネル２４が設けられる。この操作パネル２４には、前記第１ピンジャック１５と、複数の操作スイッチ２５と、複数のランプ２６とが設けられる。操作スイッチ２５は、たとえばシートスイッチなどによって実現され、またランプ２６はたとえば発光ダイオードなどによって実現される。操作スイッチ２５の押圧操作によって、診療台４の昇降変位、背板３の傾動変位、インスツルメント１４のたとえばバキュームシリンジの吸引動作の開始および停止、コントラアングルハンドピースのライトの点灯、注水、給気などの動作を制御することができる。各ランプ２６は、これらの操作スイッチ２５の操作によって点灯し、または消灯する。
【００１９】
前記トレーテーブル１０上には、薬液瓶ホルダ２７などが設けられるとともに、歯科用診断機器である根管長測定装置２８の表示手段である表示器２９が載置される。表示器２９は、表示器本体３０と、本体３０から延びるカールコードなどによって実現されるリード線３１と、リード線３１の一端部に接続されるコネクタプラグ３２とを有する。このコネクタプラグ３２が前記第１コネクタ１７に接続されることによって、リード線３１と背板３内の第１リード線１９とが電気的に接続される。リード線３１の他端部には、ピン３３が接続され、表示器本体３０に設けられる図示しないピンジャックに着脱自在に接続することができる。
【００２０】
前記根管長測定装置２８は、患者の診断情報を検出する検出手段３４を含む。この検出手段３４は、リード線３５の一端部が接続されるクリップ３６によってリーマーまたはファイルなどの測深用探針３７が把持され、また他方のリード線３８の一端部が接続されるクリップ３９には、バックフックと呼ばれる口腔電極４０とを有し、各リード線３５，３８は各他端部で平行線４１とされ、この平行線４１の一端部には第１ピンジャック１５に着脱自在に接続されるピンプラグ４２が設けられる。口腔電極４０は、患者１３の口腔内に掛止められ、測深用探針３７を根管内に挿入しながら表示器２９によって表示される検出手段３４からの診断情報またはそれに対応した診断関連情報を見て、根管長の測定が行われる。このようにして測深用探針３７および口腔電極４０間の電気的特性値であるインピーダンスを測定することができるので、表示器２９から患者の口腔にわたってリード線が垂下がるおそれはなく、またそのリード線が患者の胸などに接触することなく、いわばすっきりとした状態で根管長を測定することができる。
【００２１】
図３は、第２ピンジャック付近を拡大して示す一部の斜視図である。また背板３の患者１３の左肩付近に対応する部分４３が、前述の操作パネル２４と同様な操作パネル４４が設けられ、この操作パネル４４には前記第２ピンジャック１６が設けられる。このような第２ピンジャック１６にもまた、前述の検出手段３４のピンプラグ４２を差し込んで、患者１３の左側の歯の根管長を測定することができる。これによって患者１３の首や胸の上にリード線が垂下がることはなく、患者１２に不快感や違和感および不安感や恐怖感ならびに緊張感を与えることになしに、診療を行うことができる。
【００２２】
図４はベースンポール１１の斜視図であり、図５はベースンポール１１の正面図である。前記ベースンポール１１は、基台４６と、基台４６の上部に設けられるテーブル４７と、テーブル４７から上方に立上り、上部が一方向に湾曲した立上り壁４８と、立上り壁４８に内蔵され、吐出口４９が下方に向けて突出して形成され、患者１３がうがいをするための水を供給する給水管５０と、テーブル４７に設けられ、洗浄後の汚水を回収して排出するシンク５１とを有する。テーブル４７の前記吐出口４９の直下には、コップ５２を載置する給水用検知スイッチが内蔵された載置台５３が設けられ、載置台５３上に載置されたコップ５２内の水が予め定める量以下になったとき、注水管５０から水が自動的に給水される。前記基台４６の一側部５４には、前述の第２コネクタ１８が設けられる。この第２コネクタ１８には、前述の検出手段３４に設けられるコネクタプラグ３２を着脱自在に装着して電気的に接続することができる。
【００２３】
基台４６のヘッドレスト１２側に臨む他側部５５には、図６に示されるように、第２コネクタ１８に近接して取付金具５６がビス５７によって固定され、表示器２９の背後には、取付金具５６の前記他側部５５の表面から突出する係合部５８が嵌まり込む係合凹所５９と、この係合凹所５９の下方（図６の下方）に連なり、前記係合部５８が嵌まり込むことができる案内凹所６０とが形成される。このような係合凹所５９、案内凹所６０、および取付金具５６によって係止手段を構成している。表示器２９を取付金具５６に係止させるにあたっては、表示器２９を把持して係合部５８を案内凹所６０内に嵌め込んだ後、表示器２９を下降させることによって、案内凹所６０内の係合部５８は係合凹所５９内に嵌まり込み、表示器２９が取付金具５６によって支持される。
【００２４】
こうして表示器２９がベースンポール１１に取付けられた状態で、表示器２９のコネクタプラグ３２をベースンポール１１の第２コネクタ１８に接続することによって、第１および第２ピンジャック１５，１６のいずれか一方に接続されている検出手段３４と表示器２９とを電気的に接続することができる。
【００２５】
このようにして表示器２９をトレーテーブル１０上に載置し、あるいはベースンポール１１に係止して、術者あるいは介助者の見やすい位置に配置することができる。
【００２６】
なお、前記係止手段は図６の実施の形態に示される構成に限るものではなく、たとえば前記ベースンポール１１の他側部５５に係合凹所５９および案内凹所６０に対応する構成を実施し、表示器２９に取付金具５６に対応する構成を設けるようにしてもよい。
【００２７】
上述の実施の形態では、検出手段３４と表示器２９とを診療台４内に配置される第１〜第３リード線１９，２０，２１を用いて電気的に接続するようにしたけれども、本発明の実施の他の形態として、図７に示されるように超音波スケーラ付根管長測定装置６１に対しても、本発明を好適に実施することができる。この装置６１の本体６２には、前記表示器２９を搭載することができる凹所６８が形成され、一側部には前記検出手段３４のピンプラグ４２を差し込むことができるジャック６３が設けられ、他側部には、超音波スケーラ６４のプラグ６５を差し込むことができるジャック６６が設けられ、背後部には表示器２９のコネクタプラグ３２を差し込むことができるコネクタ６７が設けられる。このような超音波スケーラ付根管長測定装置６１を用いる場合においてもまた、本体６２および表示器２９を、たとえばトレーテーブル１０上に乗載した状態で、別途に準備された補助用リード線６９を用いて、一方のプラグ７０を根管長測定用ジャック６３またはスケーラ用ジャック６６に差し込み、他方のプラグ７１を第１コネクタ１７に差し込むようにすればよい。このようにして超音波スケーラ６４または検出手段３４のいずれでも用いることができる。
【００２８】
本発明の実施のさらに他の形態として、図８に示されるように、歯牙の上部に導電性ペースト７２を乗載し、または乗載せずに電極７３からパルス状の電圧を歯に印加して、痛みが生じるか否かによって歯髄を診断する歯髄診断用ハンドピース７４に対しても、本発明を好適に実施することができる。この場合には、リード線７５に設けられるプラグ７６を、第１および第２ピンプラグ１５，１６のうち、いずれか一方に差し込み、第１および第２コネクタ１７，１８のいずれか一方に前記パルス状電圧を印加するための電源装置を接続すればよい。
【００２９】
本発明は、図９に示されるような盲嚢測定用ハンドピース７７に対しても、リード線７８にプラグ７９を設け、図８に示される歯髄診断用ハンドピース７４と同様に第１および第２ピンプラグ１５，１６のいずれか一方にプラグ７９を差し込み、第１および第２コネクタ１７，１８のいずれか一方に測定器本体を接続すればよい。この盲嚢測定用ハンドピース７７は、図１０にその原理が示されるように、盲嚢（歯周ポケット）８０内に案内スリーブ８１の先端部付近で変位自在なプローブ８２を挿入し、プローブ８２にワイヤ８３によって連結されたコア８４の変位によって電磁コイル８５によって形成された磁界を変化させ、検出コイル８６に生じた誘導起電力を検出するものである。このようにして盲嚢８０の深さを検出する盲嚢測定用ハンドピース７７に関しても、本発明を有利に実施することができる。
【００３０】
また本発明の実施のさらに他の形態として、第１コネクタ１７を、トレーテーブル１０またはアーム７に設けるようにしてもよい。
【００３１】
【発明の効果】
本発明によれば、歯科用診断機器は診療装置に設けられる接続手段に電気的に接続することができるので、歯科用診断機器を電気的に接続するリード線などの配線が患者の首や胸などの上に垂下がって接触することはなく、これによって患者への不快感や違和感および不安感や恐怖感ならびに緊張感をなくし、診療行為を支援することができる。また歯科用診断機器を接続する配線が患者に接触することはないので、その配線が汚損されるおそれはなく、衛生上の清浄度が向上される。
また、歯科用診断機器は検出手段と表示手段とを備え、一方の接続手段に検出手段が接続され、他方の接続手段に表示手段が接続されるので、検出手段と表示手段とを診療装置内に収納されるリード線によって電気的に接続することができ、リード線などの配線が診療装置から外部に露出して患者の上に垂れ下がってそのリード線が患者に接触することが防がれた状態で、検出手段によって検出される診断情報または診断関連情報を表示手段によって表示することができる。
【００３２】
また本発明によれば、一方の接続手段と他方の接続手段とは、リード線によって電気的に接続され、このリード線は診療装置内に収納される。これによって診療装置の外部にリード線が露出することはないので、このリード線に術者、その介助者および患者などが引っ掛かるおそれはなく、安全性が向上されるとともに、リード線の汚損が防がれる。また、診療台からリード線が露出している場合に比べて患者への不快感や違和感および不安感や恐怖感ならびに緊張感を低減することができる。
【００３３】
さらに本発明によれば、前記診療台の近傍にトレーテーブルが移動自在に設けられる。このような診療台の背板には、この診療台に患者が横たわった状態において、その患者の肩部に対応する位置付近に、背板の側面、トレーテーブルおよびトレーテーブル保持アームのうちの少なくともいずれか１つには前記接続手段が設けられる。このような位置に接続手段を設けることによって、歯科用診断機器を患者の肩部、背板の側面、トレーテーブルおよびトレーテーブル保持アームのうち少なくともいずれか１つ付近に配置して、患者の上に配線が垂下がることなしに、いわばすっきりとした状態で診療を行うことができる。
【００３４】
さらに本発明によれば、診療台の一側部には、ベースンポールが設けられ、このベースンポールに前記接続手段が設けられる。このようなベースンポールに設けられる接続手段に歯科用診断機器を接続して、たとえば介助者から見やすい位置に配置することが可能となり、利便性が向上される。
【００３５】
さらに本発明によれば、接続手段が設けられる位置に近接して係止手段を設けるようにしたので、必要に応じて前記歯科用診断機器を係止手段によって係止することができ、歯科用診断機器の配置上の自由度が向上されて利便性が向上されるとともに、歯科用診断機器の落下を防ぐことができるので、その歯科用診断機器の損傷を防ぎ、また落下による歯科用診断機器の汚損を防ぐことができる。
【図面の簡単な説明】
【図１】本発明の実施の一形態の歯科用診療装置１の全体の構成を示す平面図である。
【図２】第１ピンジャック１５および第１コネクタ１７付近の拡大斜視図である。
【図３】第２ピンジャック１６付近の拡大斜視図である。
【図４】ベースンポール１１の斜視図である。
【図５】ベースンポール１１の正面図である。
【図６】表示器２９のベースンポール１１への取付構造を示す斜視図である。
【図７】本発明の実施の他の形態の超音波スケーラ付根管長測定装置６１を示す斜視図である。
【図８】本発明の実施のさらに他の形態の歯髄診断用ハンドピース７４を示す側面図である。
【図９】本発明の実施のさらに他の形態の盲嚢測定用ハンドピース７７を示す側面図である。
【図１０】図９に示される盲嚢測定用ハンドピース７７の測定原理を示す簡略化した図である。
【符号の説明】
１  歯科用診療装置
２  座椅子
３  背板
４  診療台
５  基端部
６  鉛直軸線
７  アーム
８  遊端部
９  トレーテーブル
１１  ベースン
１２  ヘッドレスト
１３  患者
１４  インスツルメント
１５  第１ピンジャック
１６  第２ピンジャック
１７  第１コネクタ
１８  第２コネクタ
１９  第１リード線
２０  第２リード線
２１  第３リード線
２８  根管長測定装置
２９  表示器
３４  検出手段
３７  測深用探針
４０  口腔電極
【図１】
0003553696.tif 000002
【図２】
0003553696.tif 000003
【図３】
0003553696.tif 000004
【図４】
0003553696.tif 000005
【図５】
0003553696.tif 000006
【図６】
0003553696.tif 000007
【図７】
0003553696.tif 000008
【図８】
0003553696.tif 000009
【図９】
0003553696.tif 000010
【図１０】
0003553696.tif 000011